(57)【要約】【課題】レンズ鏡筒において、絞り操作リングの回転を確実に菊座の揺動に反映させる。【解決手段】絞り制御部材３６は、光軸Ｌ方向に長い３本の細板状のブラケットと、これらの両端にビス固定された一対のガイドリング４３，４４とからなる。ブラケット４０の長手方向の中間部には長孔４０ｂが形成されている。長孔４０ｂにビス３７が挿通され、その先端部が突起部３５の端部のビス孔に螺合されている。絞り制御部材３６は、ガイドリング４３，４４の各外周面が、固定筒１３，カム筒２２の各内周面にそれぞれ摺動するため、振れることなく光軸Ｌを中心に回転する。可変絞り操作リング１６を回転させると、この回転力は、ブラケット４０の端部４０ａを介して確実に絞り制御部材３６に伝達されるから、長孔４０ｂ及びビス３７を介して菊座３２ｄが回転し、絞り羽根が揺動して可変絞り操作リング１６の回動量に応じた大きさの絞り口径３４に変更される。【選択図】図２
2012053271.tif 000002
【特許請求の範囲】
【請求項１】
円筒状の固定筒に対して周方向に回転することにより内部のレンズをその光軸方向に移動させる円筒状の回転筒と、この回転筒の内側に設けられ、可動部を回転筒の周方向に回動させることにより絞り口径を変更する可変絞り装置とを備えたレンズ鏡筒において、
前記回転筒の内側に設けられ、前記光軸方向に長い複数個の棒状部材と、この棒状部材の両端にそれぞれ固定され、前記光軸を中心に回動自在に設けられた一対のリング状部材と、前記棒状部材の１個に形成され、前記可変絞り装置の可動部が係合する前記光軸方向に延びた長孔とからなる絞り制御部材と、
この絞り制御部材に一体的に設けられ、前記固定筒の周方向に移動操作することにより前記絞り制御部材を介して前記可変絞り装置の可動部を前記回転筒の周方向に回動させる操作部材と
を備えたことを特徴とするレンズ鏡筒。
【請求項２】
円筒状の固定筒の内側に設けられ、前記固定筒に対して周方向に回転することにより内部のレンズを光軸方向に移動させる円筒状の回転筒と、この回転筒の内側に設けられ、可動部を回転筒の周方向に回動させることにより絞り口径を変更する可変絞り装置とを備えたレンズ鏡筒において、
前記回転筒の内側に設けられ、前記光軸方向に長い複数個の棒状部材と、この棒状部材の両端にそれぞれ固定され、前記光軸を中心に回動自在に設けられた一対のリング状部材と、前記棒状部材の１個に形成され、前記可変絞り装置の可動部が係合する前記光軸方向に延びた長孔とからなる絞り制御部材と、
前記固定筒の周方向に長く形成された固定筒孔を介して、前記絞り制御部材に一体的に設けられ、前記固定筒の外側で固定筒の周方向に移動自在に設けられた操作部材と
を備え、前記操作部材の移動により前記絞り制御部材を介して前記可変絞り装置の可動部が前記回転筒の周方向に回動されることを特徴とするレンズ鏡筒。
【請求項３】
プロジェクタ用の投映レンズに用いられることを特徴とする請求項１または２記載のレンズ鏡筒。
【発明の詳細な説明】
【技術分野】
【０００１】
本発明は、主にプロジェクタに用いるレンズ鏡筒であって、固定筒と回転筒（カム筒）とを備えたレンズ鏡筒に関する。
【背景技術】
【０００２】
プロジェクタに備えられ画像光をスクリーンに拡大投映する投映用のレンズ鏡筒が知られている。レンズ鏡筒は、直進溝が形成された固定筒と、カム溝が形成され、回転することにより内部のズーム系のレンズ群が固定筒の直進溝に沿って光軸方向に移動してズーミングを行なう回転筒と、レンズ同士の間や固定筒の最後部に設けられ、スクリーンに投影される画像の明るさを調整する可変絞り装置とを備えている。
【０００３】
可変絞り装置は、周知のように、穴座と菊座との間に複数枚の絞り羽根が重ね合わされて保持され、各絞り羽根は穴座に揺動自在に位置決めされると共に菊座にガイド孔を介してガイドされ、菊座を揺動させることにより絞り羽根を前記ガイド孔に従って揺動させて絞り口径を拡縮する（特許文献１）。
【０００４】
可変絞り装置の絞り口径を変更するには、レンズ鏡筒の外周に設けられた絞り操作リングを手動またはモータ駆動にて回転させることにより操作伝達レバーを介して菊座を揺動させる操作リング型と、レンズ鏡筒内に小型のモータを組み込み、このモータを駆動することにより菊座を揺動させるモータ内蔵型（特許文献２）とがある。
【先行技術文献】
【特許文献】
【０００５】
【特許文献１】特開平６−２６５９７２号公報
【特許文献２】特開２００１−２９０１９０号公報
【発明の概要】
【発明が解決しようとする課題】
【０００６】
上記モータ内蔵型の場合、上記操作リング型に比較して、レンズ鏡筒の小型化が困難で、かつコスト高になるという問題点があるので、上記操作リング型が好ましい。しかしながら、操作リング型の場合、絞り操作リングと菊座との間を仲介する操作伝達レバーは、回転筒を回避して配置する必要があるため、光軸方向に長い形状となる。操作伝達レバーは、固定筒の周方向にガタ無く回動されるようにガイド部材によってガイドされてはいるものの、ガイド部材との間に部品公差や組立誤差の累積誤差があると、操作伝達レバーが光軸方向に長いため、絞り操作リングの回転によって操作伝達レバーが菊座側を中心に振れやすく、絞り操作リングの回転がそのまま菊座の揺動に反映されない場合がある。
【０００７】
本発明は、上記課題を鑑みてなされたものであり、絞り操作リングの回転が確実に菊座の揺動に反映されるレンズ鏡筒を提供することを目的とする。
【課題を解決するための手段】
【０００８】
本発明のレンズ鏡筒は、円筒状の固定筒に対して周方向に回転することにより内部のレンズをその光軸方向に移動させる円筒状の回転筒と、この回転筒の内側に設けられ、可動部を回転筒の周方向に回動させることにより絞り口径を変更する可変絞り装置とを備えたレンズ鏡筒において、前記回転筒の内側に設けられ、前記光軸方向に長い複数個の棒状部材と、この棒状部材の両端にそれぞれ固定され、前記光軸を中心に回動自在に設けられた一対のリング状部材と、前記棒状部材の１個に形成され、前記可変絞り装置の可動部が係合する前記光軸方向に延びた長孔とからなる絞り制御部材と、この絞り制御部材に一体的に設けられ、前記固定筒の周方向に移動操作することにより前記絞り制御部材を介して前記可変絞り装置の可動部を前記回転筒の周方向に回動させる操作部材とを備えたことを特徴とする。
【０００９】
本発明のレンズ鏡筒は、円筒状の固定筒の内側に設けられ、前記固定筒に対して周方向に回転することにより内部のレンズを光軸方向に移動させる円筒状の回転筒と、この回転筒の内側に設けられ、可動部を回転筒の周方向に回動させることにより絞り口径を変更する可変絞り装置とを備えたレンズ鏡筒において、前記回転筒の内側に設けられ、前記光軸方向に長い複数個の棒状部材と、この棒状部材の両端にそれぞれ固定され、前記光軸を中心に回動自在に設けられた一対のリング状部材と、前記棒状部材の１個に形成され、前記可変絞り装置の可動部が係合する前記光軸方向に延びた長孔とからなる絞り制御部材と、前記固定筒の周方向に長く形成された固定筒孔を介して、前記絞り制御部材に一体的に設けられ、前記固定筒の外側で固定筒の周方向に移動自在に設けられた操作部材とを備え、前記操作部材の移動により前記絞り制御部材を介して前記可変絞り装置の可動部が前記回転筒の周方向に回動されることを特徴とする。
【００１０】
本発明のレンズ鏡筒は、プロジェクタ用の投映レンズに用いられることが好ましい。
【発明の効果】
【００１１】
本発明のレンズ鏡筒によれば、レンズの光軸を中心に回動されるリング状部材をレンズの光軸方向に長い複数個の棒状部材の両端に固定して絞り制御部材を構成したので、絞り制御部材が振れることなく、操作部材の回動操作を確実に可変絞り装置の可動部の回動に反映できる。また、プロジェクタ用の投映レンズに用いると、投映画像がブレることなくスムーズに投映画像のサイズを変更することができる。
【図面の簡単な説明】
【００１２】
【図１】プロジェクタの外観斜視図である。
【図２】広角端での投映レンズの端面図である。
【図３】可変絞り装置の構成を示す分解平面図である。
【図４】絞り制御部材の概略を示す外観斜視図である。
【図５】望遠端での投映レンズの端面図である。
【発明を実施するための形態】
【００１３】
本発明の実施形態に係る投映レンズ（レンズ鏡筒）を採用したプロジェクタ１０を示す図１において、プロジェクタ本体１１の前部には、投映レンズ１２が突出して設けられている。投映レンズ１２の円筒状をした固定筒１３の外周には、前端側から、ピント合わせを行なう際に回動操作されるフォーカス操作リング１４、ズーミングを行なう際に回動操作されるズーム操作リング１５、後述する可変絞り装置の絞り口径を変更する際に回動操作される可変絞り操作リング１６（操作部材）が順に設けられている。フォーカス操作リング１４、ズーム操作リング１５、可変絞り操作リング１６の外周面には、指で回転操作を行ないやすくするためのローレット目が形成されている。
【００１４】
プロジェクタ本体１１には、白色光を発する光源、３原色（赤、緑、青）に対応した透過型液晶素子、及びクロスダイクロイックプリズムなどが内蔵されている。光源からの白色光は３原色光に分離されてから各色に対応した透過型液晶素子にそれぞれ入射されて各色の画像光となり、これらの各色の画像光はクロスダイクロイックプリズムで合成されてから投映レンズ１２に入射される。投映レンズ１２は入射した合成画像光をスクリーンに拡大投映する。
【００１５】
図２に示すように、投映レンズ１２は前玉フォーカス調整式であり、固定筒１３の前端部には、フォーカスレンズ１８が組み込まれたフォーカス筒１９が組み込まれ、固定筒１３の後端部には、固定枠２０を介して後端レンズ２１が取り付けられている。フォーカスレンズ１８と後端レンズ２１との間の固定筒１３の内側には、固定筒１３の内周面に沿って回動される円筒状のカム筒（回転筒）２２が設けられ、この内部にズーミング用のレンズ２４〜２７がレンズ枠２８〜３１にそれぞれ保持されて組み込まれている。
【００１６】
フォーカス操作リング１４が回転操作されると、固定筒１３にヘリコイド結合しているフォーカス筒１９が回転してフォーカスレンズ１８が光軸Ｌの方向に移動し、フォーカシングが行われる。また、ズーム操作リング１５が回転操作されると、これに連動してカム筒２２が回転され、カム筒２２に形成されたカム孔を介してレンズ２４〜２７がそれぞれ光軸Ｌ方向に移動してズーミングが行われる。
【００１７】
レンズ２６を保持しているレンズ枠３０には、投光量を加減してスクリーンに投影される画像の明るさを調整する可変絞り装置３２が一体に取り付けられている。この可変絞り装置３２は、図３に示すように、鏡枠３２ａと穴座３２ｂとの間に複数枚の絞り羽根３２ｃと菊座３２ｄ（可動部）が重ね合わされて保持され、各絞り羽根３２ｃは穴座３２ｂに揺動自在に位置決めされると共に菊座３２ｄにガイド孔３３を介してガイドされ、菊座３２ｄを揺動（光軸周りに回動）させることにより絞り羽根３２ｃをガイド孔３３に従って揺動させて絞り口径３４を拡縮する。
【００１８】
菊座３２ｄの外周の一部には、突起部３５が一体に形成されている。この突起部３５の直角に屈曲された端部３５ａには、カム筒２２の内側に設けられた絞り制御部材３６の一部がビス３７（遊挿部材）によって移動自在に連結されている。
【００１９】
絞り制御部材３６は、図４に示すように、ほぼ等間隔に設けられた光軸Ｌ方向に長い３本の細板状のブラケット４０〜４２（棒状部材）と、これらの両端にビス固定された一対のガイドリング４３，４４（リング状部材）とから構成される。ブラケット４０〜４２は、カム筒２２のカム孔（図示せず）を避ける位置に設けられている。なお、ブラケット４１を図２，図５に破線で図示しているが、この図示した位置は実際の位置ではなく、便宜的に示したものである。
【００２０】
ブラケット４０は、他のブラケット４１，４２と形状が一部異なり、一方の端部４０ａが延長されてほぼ直角に屈曲され、ガイドリング４３の外郭からガイドリング４３の径方向に突出している。端部４０ａは、カム筒２２の端部の脇を通り、固定筒１３の長孔１３ａ（固定筒孔）を挿通して、その先端部が可変絞り操作リング１６にビス固定される（図２参照）。
【００２１】
ガイドリング４３は、フォーカス筒１９側から保持リング４５によって固定筒１３に回転自在に保持される。ガイドリング４４は、その外周面がカム筒２２の内周面に摺接される。これにより、可変絞り操作リング１６を固定筒１３の周方向に回転させると、絞り制御部材３６が光軸Ｌを中心に回転する。
【００２２】
ブラケット４０の長手方向の中間部には、ブラケット４０の長手方向に延びた長孔４０ｂが形成されている。この長孔４０ｂにビス３７が遊挿され、ビス３７の先端部が突起部３５の端部３５ａのビス孔に螺合されている。これにより、絞り制御部材３６がビス３７及び長孔４０ｂを介して菊座３２ｄの突起部３５に連結される。
【００２３】
ズーム操作リング１５の回転操作により、カム筒２２が回転し、図２に示す広角端と、図５に示す望遠端との間で、レンズ２４〜２７が光軸方向に移動される。レンズ２６の移動に伴って、レンズ２６のレンズ枠３０に一体に取り付けられた可変絞り装置３２も光軸方向に移動するが、長孔４０ｂの光軸方向の長さは、レンズ２６の移動範囲に対応した長さになっているから、全てのズーム範囲で絞り口径３４が変更可能である。
【００２４】
このように構成された投映レンズ１２の絞り制御部材３６は、ガイドリング４３，４４の各外周面が、固定筒１３，カム筒２２の各内周面にそれぞれ摺動するため、振れることなく光軸Ｌを中心に回転する。これにより、可変絞り操作リング１６を回転させると、この回転力は、ブラケット４０の端部４０ａを介して確実に絞り制御部材３６に伝達されるから、長孔４０ｂ及びビス３７を介して菊座３２ｄが回転し、絞り羽根３２ｃが揺動して可変絞り操作リング１６の回動量に応じた大きさの絞り口径３４に変更される。
【００２５】
以上説明した実施形態では、絞り制御部材のブラケットを３本としたが、本発明はこれに限定されることなく、カム筒のカム孔を避ける位置であれば、例えば２本でも４本や５本としてもよい。
【００２６】
上記実施形態では、ビス３７によって突起部３５の端部３５ａをブラケット４０の長孔４０ｂに移動自在に連結させるようにしたが、本発明はこれに限定されることなく、例えば、ビス３７を使用せずに、端部３５ａをブラケット４０側に延長させたり変形させ、端部３５ａが長孔４０ｂに遊挿されるようにしてもよい。
【００２７】
上記実施形態では、可変絞り操作リングを手動で回転操作する構成であったが、可変絞り操作リングの外周にギアを形成し、これに噛合するギアを介してモータにて可変絞り操作リングを回転駆動するようにしてもよい。
【００２８】
上記実施形態では、固定筒をカム筒（回転筒）の外側に設けたが、本発明はこれに限定されることなく、固定筒をカム筒の内側に設けるようにしてもよい。
【００２９】
上記実施形態では、レンズ鏡筒としてプロジェクタ用の投映レンズを用いて説明したが、カメラなど他の装置に用いられるレンズ鏡筒に本発明を適用してもよい。
【符号の説明】
【００３０】
１０  プロジェクタ
１２  投映レンズ
１３  固定筒
１６  可変絞り操作リング
２２  カム筒
３２  可変絞り装置
３２ｃ  絞り羽根
３２ｄ  菊座
３６  絞り制御部材
３７  ビス
４０〜４２  ブラケット
４０ａ  長孔
４３，４４  ガイドリング
【図１】
2012053271.tif 000003
【図２】
2012053271.tif 000004
【図３】
2012053271.tif 000005
【図４】
2012053271.tif 000006
【図５】
2012053271.tif 000007